(57)【特許請求の範囲】
【請求項１】
心臓切開血静脈血貯血槽であって、
主要チャンバを形成するハウジング組立体と、
前記主要チャンバに流体的に接続された心臓切開入口ポートと、
静脈入口ポートと、
上流領域と、下流領域と、これを貫通する内腔を画成する垂下チューブであって、
前記上流領域は、前記静脈入口ポートから延び、
前記下流領域は、前記上流領域から延び前記主要チャンバ内に位置する下流側端部で終端し、
前記内腔の直径が、少なくとも前記下流領域の一部分に沿って前記下流側端部まで増加する垂下チューブと、
前記主要チャンバ内に配置され且つ前記下流側端部に対向するフロア部表面を形成するボウルと、を備え、
前記フロア部表面が、
環状肩部分であって、該環状肩部分が前記下流側端部の上方に離間して配置されているとき、前記下流側端部を周方向に包囲し且つ前記下流側端部から径方向に離間している環状肩部分と、
前記肩部分から前記肩部分と反対側の底面へと、径方向内方および下方に延び、前記底面は前記下流側端部の下方に離間して配置されている中間部分と、
前記底面から中心まで径方向内方且つ上方に延びる突起であって、前記中心は前記内腔と整列し、前記下流側端部の下方に離間する突起とにより構成されている、
ことを特徴とする心臓切開血静脈血貯血槽。
【請求項２】
前記内腔の前記増加する直径の部分は、前記静脈入口ポートから延びる前記垂下チューブの長さの大部分に沿って存在している、
請求項１に記載の心臓切開血静脈血貯血槽。
【請求項３】
前記チャンバは、高さにより画定され、さらに、前記垂下チューブは、前記高さの少なくとも半分の長さを有するチャンバ部分を備え、さらに、前記内腔は、前記チャンバ部分の全体に沿って、直径が増加する、
請求項１に記載の貯血槽。
【請求項４】
前記ハウジング組立体は、カバーと、前記カバーに対して外側に突出する前記静脈入口ポートと、前記主要チャンバ内で前記カバーから前記下流側端部へと内部に延びるチャンバ部分を形成する前記垂下チューブと、を備え、さらに、前記内腔は、前記チャンバ部分の全体に沿って直径が増加する、
請求項１に記載の貯血槽。
【請求項５】
前記中心と前記下流側端部との間隔は、0.445乃至0.495cm（０．１７５インチ〜０．１９５インチ）の範囲内である、
請求項１に記載の貯血槽。
【請求項６】
前記突起の高さは、0.191乃至0.095cm（０．０７５インチ〜０．０９５インチ）の範囲内にある、
請求項１に記載の貯血槽。
【請求項７】
前記フロア部表面は、前記中間部分の前記底面から前記突起に至る移行部において滑らかな曲線を形成する、
請求項１に記載の貯血槽。
【請求項８】
前記中間部分は、前記突起から前記肩部分まで、直径が連続的に増加する、
請求項１に記載の貯血槽。
【請求項９】
前記フロア部表面は、前記肩部分から径方向外側および下側に延びるリム部により画成される、
請求項１に記載の貯血槽。
【請求項１０】
前記フロア部表面は、前記リム部分に沿って径方向に直線的であり、
さらに、前記リム部分を周方向に包囲し、且つ前記リム部分に直接近接する、静脈フィルタを備えている、
請求項９に記載の貯血槽。
【請求項１１】
前記垂下チューブの周りに配置される静脈消泡器であって、前記ボウルに対向する先端で終端し、前記先端は、前記下流側端部の上方に離間して配置される前記静脈消泡器をさらに備え、
さらに、前記ボウルを周方向に包囲する静脈フィルタを備え、前記貯血槽は、静脈血が前記垂下チューブを通り、前記フロア部表面により構成される流路および前記静脈フィルタを介し、前記主要チャンバに導かれるよう作製され、さらに、前記静脈消泡器は前記流路から離間している、
請求項１に記載の貯血槽。
【請求項１２】
前記ボウルを周方向に包囲し静脈チャンバを確立する静脈フィルタと、前記心臓切開入口ポートから前記主要チャンバに至る心臓切開流路を確立する心臓切開サブ組立体とをさらに備え、
前記心臓切開流路は、前記静脈フィルタの上方に配置された出口側面を有する、
請求項１に記載の貯血槽。
【請求項１３】
前記出口側面は、前記心臓切開流路の前記出口側面からの前記心臓切開液流が前記静脈フィルタに沿って前記主要チャンバへと移動するよう、前記静脈フィルタと流体的に関連づけられ、
前記静脈フィルタは、第１側面から第２側面まで、外径が増加し、前記心臓切開流路の前記出口側面は前記第１側面に近接して配置される、
請求項１２に記載の貯血槽。
【請求項１４】
前記心臓切開サブ組立体は、心臓切開フィルタを保持し且つ前記心臓切開フィルタを通して前記心臓切開入口ポートからの心臓切開液の流れを前記出口側面に案内するための案内表面を確立するフレームと、前記案内表面から離間した位置において前記フレームに取り付けられた心臓切開消泡器と、を備えている、
請求項１２に記載の貯血槽。
【請求項１５】
前記フレームは、
前記案内表面を形成し且つ前記垂下チューブに同軸に配置された内側ポストと、前記内側ポストから径方向に離間する外側フレームと、を備え、
前記心臓切開消泡器は、前記案内表面が前記心臓切開消泡器の下方端の下方に延びるよう前記外側フレームに取り付けられた、
請求項１４に記載の貯血槽。
【請求項１６】
前記垂下チューブと前記内側ポストとの間に配置された心臓切開消泡器をさらに備える、
請求項１５に記載の貯血槽。
【請求項１７】
前記心臓切開サブ組立体は、前記心臓切開入口ポートからの前記心臓切開液が、血流表面に沿って孔を介して前記入口ポートの前記案内表面へと流れるよう、前記心臓切開入口ポートに対して開放された前記血流表面を有し、且つ前記内側ポストに近接する前記孔へと延びる皿部をさらに備える、
請求項１５に記載の貯血槽。
【請求項１８】
前記入口ポートのうちの少なくとも１つは、別個の流体コネクタ本体を交換可能に受容するよう構成されたスナップ嵌合コネクタ機構を備える、
請求項１に記載の貯血槽。
【請求項１９】
前記貯血槽は、最大流量が２．２リットル／分、主要チャンバ容積が1,200ミリリットル未満という、低い流量容量を要する患者に使われるよう構成された、
請求項１に記載の貯血槽。
【発明の詳細な説明】
【技術分野】
【０００１】
本発明は、心臓切開静脈環流貯血槽に関する。さらに詳細には、本発明は、改善された空気処理を有し、且つ、例えば、低流量を要求する患者に関連する様々な灌流システムに対して有用である心臓切開血静脈血貯血槽に関する。
【０００２】
多数の手術において、心臓と肺の機能は、膜型人工肺、心臓補助ポンプ、および熱交換器等の特殊装置により体外で行われる。この装置アレイは、手術中に患者の脱血および返血を監督する灌流技師により操作される。患者の血液は、大静脈タップと、人工肺を通って大動脈へと血液を送り出す人工心肺のポンプとの間に配置された静脈貯血槽に蓄えられる。静脈貯血槽は、大静脈から得られる血流と人工心肺のポンプの要求との間の変化を平滑化するための、体外循環システムにおける流体バッファとしても機能する。手術中、大量の血液が患者の胸腔に漏れ出るため、手術野からのこの心臓切開血を回収する必要がある（例えば、心臓切開吸引）。処理（例えば、濾過）が終わると、心臓切開血を患者に戻すことも可能である。静脈血および心臓切開血を別個に保持することが可能であるが、近年では、心臓切開血および静脈血を、単一の殻の堅い心臓切開血静脈血貯血槽に入れることが一般的となった。
【０００３】
一般的な、心臓切開血静脈血混合貯血槽は、主要チャンバに至る２つの別個の流体路、すなわち静脈血流路および心臓切開血流路を有する。静脈血路は、中心に配置された静脈取入口を通って貯血槽に入り、消泡チャンバに運ばれる。消泡チャンバ内では、静脈血が貯血槽の主要チャンバに排出される前に、静脈血に存在するあらゆる気泡が取り除かれる。心臓切開血は、１つまたは複数の心臓切開入口を通って貯血槽に入り、様々なフィルタリング／消泡領域を通って運ばれる。フィルタリング／消泡領域においては、細胞残屑および手術残渣と、大量の空気とが心臓切開血から取り除かれる。
【発明の概要】
【発明が解決しようとする課題】
【０００４】
心臓切開血および静脈血貯血槽に用いられる利用可能なフィルタおよび消泡器は、必要な気泡および微粒子の除去に大いに利用され得るが、いくつかの例においては問題が残っている。小児科用途（および特に、新生児および幼児）において、手術灌流回路を通る血液量および最大流量は、（成人患者と比較して）より低いものとなっている。従来の（成人用）心臓切開血静脈血貯血槽は、これら環境においては、最適レベルに満たない場合がある。例えば、貯血槽の血液流路（単数または複数）は、成人における高流量では一様な流れを実現するが、小児科処理における低流量では不連続性を生じされる場合がある。その結果、望ましくない泡が形成されことがある。加えて、貯血槽内における比較的少ない容積の血液（および、より高い灌流回路のサイクル速度）は、乱流が生じさせ、その結果、外傷を生じさせる可能性を高める。さらに詳細には、貯血槽チャンバにおける血液容積が小さい場合、従来の心臓切開および静脈環流貯血槽においては、流入する血液流が飛沫型の流れパターンとなり、血液に好ましくない損傷をもたらすことがしばしばある。最後に、貯血槽内の心臓切開血および静脈血の気泡を除去するために消泡器を用いることは十分に認められているが、消泡器と接触する必要があるのは、血液流の泡部分のみである。しかし、従来の方法では、血液流が、必然的に、消泡器（単数または複数）上を、または消泡器（単数または複数）を通って流れるため、問題が生じることがある。
【０００５】
上記を鑑みて、混合心臓切開血静脈血貯血槽に対する任意の改良、特に、小児科用途での低容積および／または低流量に関する問題を解決する改良が待望されている。
【課題を解決するための手段】
【０００６】
本開示の原理に係るいくつかの態様は、ハウジング組立体、心臓切開入口ポート、静脈入口ポート、垂下チューブ、およびボウルを備える心臓切開血静脈血貯血槽に関する。ハウジング組立体は、主要チャンバを形成する。心臓切開入口ポートは、チャンバに流体連通する。垂下チューブは、上流領域、下流領域、および垂下チューブ内を通る内腔を画成する。上流領域が静脈入口ポートから延びる一方で、下流領域は上流領域から延び、チャンバ内に配置される下流側端部で終わる。この点に関して、内腔の直径は、少なくとも下流領域から下流側端部に沿って、増大する。ボウルは、チャンバ内に配置され、垂下チューブの下流側端部に面するフロア部表面を形成し、したがって、下流側端部から供給される静脈血を受け案内する。この点に関して、フロア部表面は、環状肩部分、中間部分、および突起により画成される。肩部分は、下流側端部を円周方向に包囲し、下流側端部から径方向に離間し、下流側端部から上方に離間して配置される。中間部分は、肩部分から、肩部分に対面する底面に、径方向内方および下方に延びる。最終的に組み立てるとき、底面は、下流側端部の下方に離間して配置される。最後に、突起は、底面から、内腔と整列し且つ下流側端部から下方に離間する中心へと、径方向内方および下方に延びる。この構成のために、垂下チューブ内腔のフレア状の内径は、静脈血が貯血槽に入るにつれて、流量を低下させる。その結果、空気処理性能が改善される。ボウルのフロア部表面の幾何学的形状は、流入する静脈血を突起において緩やかに受け、中間部分および肩部分に沿って、その血液流を滑らかに案内する。その結果、滑らかな、実質的な層流が維持される。さらに、肩部分はボウルの充填ラインを確立し、垂下チューブの下流側端部はこの充填ラインの下方に保たれる。その結果、流入する静脈血の流れが止まったとしても、空気が垂下チューブに入ることが防がれる。いくつかの実施形態において、ボウルは、肩部分から延び静脈スクリーンフィルタに達する外側リム部分をさらに備える。関連する実施形態において、貯血槽は、心臓切開フィルタを通る心臓切開血流が静脈フィルタ上に導かれた後に主要チャンバに導かれるよう配置された心臓切開フィルタをさらに備える。
【０００７】
本開示のさらに他の態様は、ハウジング組立体、心臓切開入口ポート、心臓切開サブ組立体、静脈入口ポート、および静脈サブ組立体を備える心臓切開血静脈血貯血槽に関する。ハウジング組立体は、主要チャンバを形成する。心臓切開サブ組立体は、入口側面、出口側面、および心臓切開チャンバを形成する。入口側面は心臓切開入口ポートに対して開かれ、一方、出口側面は、主要チャンバに対して開かれる。心臓切開チャンバは、入口側面および出口側面の間に形成され、入口側面および出口側面の間に血流表面を形成する。さらに、心臓切開サブ組立体は、血流表面に流体連通する心臓切開フィルタと、血流表面から離間する心臓切開消泡器とを備える。静脈サブ組立体は、垂下チューブ、ボウル、静脈フィルタ、および静脈消泡器を備える。垂下チューブは、静脈入口ポートに流体的に接続され且つ静脈入口ポートに対向する下流側端部で終わる内腔を形成する。ボウルはフロア部表面を形成し、下流側端部から供給される静脈血を受容するよう配置される。静脈フィルタは、ボウルと静脈フィルタが組み合わさって静脈チャンバを画成するよう、ボウルを円周方向に包囲する。静脈消泡器は、静脈チャンバ内に少なくとも部分的に配置され、フロア部表面の上方に長手方向に離間する。最後に、心臓切開フィルタは、静脈フィルタの上方に積み上げられる。この構成により、貯血槽は、小型となり、小児科用途等の低容積用途に大いに適したものとなる。さらに、いくつかの実施形態において、消泡器は、心臓切開血気泡のみが心臓切開消泡器に接触し、静脈血気泡のみが静脈消泡器に接触するよう、配置される。
【０００８】
本開示に係るさらに他の態様は、手術の間に、静脈の源および手術部位の源から血液を収集し処理する方法に関する。この方法は、静脈を源とする血液を、しだいに直径が増加し且つ下流側端部を有する垂下チューブの内腔に導くことを含む。静脈血は下流側端部からボウルのフロア部表面に供給される。なお、このフロア部表面は、環状肩部分、中間部分、および突起により画成されるものである。肩部分は、周方向に下流側端部を包囲し、下流側端部から径方向に離間するが、下流側端部の上方に離間して配置される。中間部分は、肩部分から、下流側端部から下方に離間する底面へと、径方向内方および下方に延びる。突起は、底面から、内腔と整列ししかも下流側端部から下方に離間する中心へと、径方向内方および上方に延びる。この点を考慮すると、静脈血は、乱流を最小限に留めその結果血液損傷が低減され空気処理が改善される方法（例えば、実質的な層流）で、下流側端部から中心へと、および中心から肩部分へと移動する間に、滑らかな流れとなる。静脈血は、肩部分から、静脈フィルタを通り、貯血槽の主要チャンバへと、導かれる。最後に、手術部位の源からの心臓切開血は、心臓切開フィルタを通って、主要チャンバへと導かれる。いくつかの実施形態において、手術は小児科手術であり、主要チャンバは、最大流量が２．２リットル／分となるような寸法となされる。
【図面の簡単な説明】
【０００９】
【図１Ａ】本開示の原則に係る心臓切開血静脈血貯血槽の斜視図である。
【図１Ｂ】図１Ａに示す貯血槽の長手方向断面図である。
【図２】図１Ａに示す貯血槽の斜視分解図である。
【図３Ａ】タレットを含む、図１Ａに示す貯血槽の１部分の断面図である。
【図３Ｂ】図１Ａに示す貯血槽の上面図である。
【図４Ａ】線４Ａに沿った、図１Ｂに示す貯血槽の１部分の拡大断面図である。
【図４Ｂ】図１Ａに示す貯血槽のボウル部分の拡大断面図である。
【図５】図１Ａに示す貯血槽を通る静脈血に関するＣＦＤ解析を示す図である。
【図６】図１Ａに示す貯血槽の部分組立断面図である。
【図７Ａ】図１Ａに示す貯血槽とともに有用であるカバー組立体の上面斜視図である。
【図７Ｂ】図７Ａに示すカバー組立体に取り付けられた様々なコネクタを備える、カバー組立体の上面斜視図である。
【発明を実施するための形態】
【００１０】
本開示の原則に係る心臓切開血静脈血貯血槽２０が図１Ａおよび図１Ｂに示される。貯血槽２０は、ハウジング組立体２２、静脈サブ組立体２４（図１Ｂに最もよく示される）、および心臓切開サブ組立体２６（図１Ｂに最もよく示される）を備える。様々な部品に関する詳細が下記で示される。しかし、一般に、ハウジング組立体２２は、主要チャンバ２８を画成する。静脈サブ組立体２４は、ハウジング組立体２２により保持され、静脈入口ポート３２からの静脈血が主要チャンバ２８に導かれる静脈チャンバ３０を形成する。心臓切開サブ組立体２６もハウジング組立体２２により保持され、１つまたは複数の心臓切開入口ポート３６からの心臓切開血流が主要チャンバ２８に導かれる心臓切開チャンバ３４を確立する。この点に関して、静脈サブ組立体２４は、主要チャンバ２８に至る静脈血が層流となるよう作製され、心臓切開サブ組立体２６は、主要チャンバ２８に至る心臓切開血に対する損傷が最小限となるよう作製される。貯血槽２０は、比較的低容積および低流量が経験される患者（例えば、新生児、幼児、児童を含む小児患者、体の小さい成人、その他）に特に適用可能である、灌流回路の一部としてきわめて有用である。
【００１１】
ハウジング組立体２２は、様々な形状を取り得、いくつかの実施形態において、ハウジング４０、蓋４２、およびタレット４４を備える。構成部品４０〜４４が組み合わされると、蓋４２およびタレット４４が１つまたは複数の心臓切開入口ポート３６等のポートを保持する状態で、主要チャンバ２８が画成される。
【００１２】
ハウジング４０は、上方側面５０および下方側面５２を画成する略円筒体である。蓋４２は、下方側面５２が所望により湾曲した形状を有し、主要チャンバ２８に流体的に接続された出口ポート５４において終了する状態で、上方側面５０に組み合わされる。いくつかの構成において、図１Ａにおいて最もよく示されるように、ハウジング４０は出口ポート５４の反対側領域においてハンドル部分５６を有する。ハンドル部分５６は、介護者の手による把握に適し、したがって貯血槽２０の搬送をより容易なものとする寸法を有する。さらに、ハンドル部分５６は、所望により、直立したポスト（例えば、点滴スタンド）等の別個の支持構造（図示せず）に貯血槽２０を取り付けることがより容易となるよう、構成される。例えば、長手方向通路５８は、ハンドル部分５６が下方側面５２において肩部６０を画成または備える状態で、ハンドル部分５６を通って形成される。通路５８は、ポストを摺動可能に受容するような寸法を有する。肩部６０は、別個の支持構造の対応する機構に対して貯血槽２０を保持するための支持表面として機能する。あるいは、ハンドル部分５６は、他の多様な形状となることが可能であり、いくつかの実施形態においては、省略される。
【００１３】
図２を参照すると、蓋４２はハウジング４０に取り付けられ（または代替的にハウジング４０の１部分として形成され）、１つまたは複数のコネクタ７０を保持または画成する。例えば、いくつかの構成においては、蓋４２は、ルアーコネクタ７０ａ、７０ｂ、通気コネクタ７０ｃ、および圧力開放バルブ収容コネクタ７０ｄを形成または提供する。追加的なコネクタも蓋４２に形成または提供され得、および／または、１つまたはすべてのコネクタ７０ａ〜７０ｄが省略され得る。いずれにせよ、蓋４２は、以下に説明するようにタレット４４を回転可能に受容する寸法を有する中央アパーチャ７２を形成する。この点に関して、中央アパーチャ７２は、蓋４２に対してタレット４４を回転可能に取り付けることを促進するために所望により作製された隆起７４により囲まれる（図１Ｂに最もよく示される）。
【００１４】
タレット４４は図３Ａにさらに詳細に示される。参考として、図３Ａは、心臓切開サブ組立体（一般に参照番号２６で示される）の１部分および静脈サブ組立体（一般に参照番号２４で示される）の１部分とともに、タレット４４を分離的に示す。特に、以下でより詳細に示されるように、静脈サブ組立体２４は、タレット４４により回転可能に保持される垂下チューブ８０を備える。
【００１５】
上記を考慮し、図２および図３Ａを参照すると、タレット４４は、いくつかの実施形態において、内側ハブ９０、基部プレート９２、および複数の固定用ツメ９４を備える。内側ハブ９０は、垂下チューブ８０を同軸上に受容および保持する寸法を有するボア９６を形成する。基部プレート９２は、内側ハブ９０から径方向外方に延び、心臓切開入口ポート３６を形成または保持する。いくつかの実施形態において、２つ以上の心臓切開入口ポート３６が提供され、例えば図３Ｂは、４つの心臓切開入口ポート３６を提供するものとして、タレット４４を示す。あるいは、他の任意の個数の、すなわち、より多数の、またはより少数の、心臓切開入口ポート３６が、同様に利用可能である。さらに、主要コネクタ９８、ルアーコネクタ（単数または複数）１００等の追加的な流体コネクタをタレット４４により形成または支持しても良い。
【００１６】
図２および図３Ａに戻ると、複数の固定用ツメ９４が基部プレート９２から長手方向下方に突出し、相互から周方向に離間する。いくつかの実施形態において、連続外側ハブ１０２が、基部プレート９２と固定用ツメ９４との間に長手方向に配置され、蓋４２に対する液密性の組み立てを容易にする機能を果たす。いずれにせよ、固定用ツメ９４は、基部プレート９２から径方向外方に向かって付勢するよう延びて構成され、棚状部１０４を形成する。タレット４４を蓋４２の中央アパーチャ７２内に組み立てるとき、各棚状部１０４は、図１Ｂに示すように隆起７４と摺動係合するよう付勢される。この構成のために、次にタレット４４は、各棚状部１０４が隆起７４に沿って摺動する状態で、蓋４２に対して（したがってハウジング４０に対して）回転可能であり、その結果、タレット４４は蓋４２に対して保持される。蓋４２および／またはタレット４４は、上述したものとは異なる構成を有し得る。例えば、回転機構は必須ではなく、省略されてもよい。より一般には、ハウジング組立体２２は、貯血槽２０に至る、静脈血および心臓切開血の流路またはポート、および貯血槽２０からの、処理された血液の流路またはポートの他にも、主要チャンバ２８を確立する機能を有する。
【００１７】
図１Ｂに戻ると、静脈サブ組立体２４は、ボウル１１０、静脈フィルタ１１２、および静脈消泡器１１４の他にも、垂下チューブ８０を備える。垂下チューブ８０は、静脈入口ポート３２と流体的に接続された内腔１１６を形成する。ボウル１１０は、垂下チューブ８０から供給される液体（例えば、静脈血）を受け、その液体を静脈フィルタ１１２へと導くよう配置される。最後に、静脈消泡器１１４は、ボウル１１０内に蓄積された静脈血に関連するあらゆる泡と接触するよう配置される。さらに詳細には、ボウル１１０および静脈フィルタ１１２が組み合わされて、静脈チャンバ３０の少なくとも１部分は、静脈消泡器１１４がチャンバ３０内で立ち上がる泡にさらされる状態で、画成される。
【００１８】
垂下チューブ８０は、多様な形状をとることができ、いくつかの実施形態においては、上流領域１２０および下流領域１２２により画成される。内腔１１６は、上流領域１２０が静脈入口ポート３２と流体的に接続されるよう、領域１２０および１２２を貫通する。静脈サンプリングポート１２４、温度監視ポート等のような追加的なポートもまた形成および提供され得る。さらに、上流領域１２０は、１つまたは複数の湾曲部１２６を形成または画成し得る。いずれにせよ、下流領域１２２は、上流領域１２０から延び、静脈入口ポート３２から流体的に反対側にある下流側端部１２８で終端する。
【００１９】
下流領域１２２は、ハウジング４０へと、次いで主要チャンバ２８へと延びる。垂下チューブ８０は、垂下チューブ８０が蓋４２のボア９６内に回転可能に取り付けられることを促進するための、フランジ１３０および溝部１３２等の１つまたは複数の機構を所望により形成し得る。いずれにせよ、貯血槽２０を最終的に組み立てるとき、垂下チューブ８０は、いくつかの実施形態において、垂下チューブ８０がチャンバ部分１３４に沿って完全に直線状となる状態で、タレット４４から下流側端部１２８に延びるチャンバ部分１３４を画成する。図示のように、直線状のチャンバ部分１３４は、主要チャンバ２８の高さまたは深さの少なくとも大部分を貫通する。
【００２０】
図４Ａに最もよく示されるように、垂下チューブ８０は、下流側端部１２８に向かって直径が増大するものとして、すなわちフレア状であるものとして、内腔１１６を形成する。例えば、チャンバ部分１３４に対して、内腔１１６は、チャンバ入口側１４０が直径ＤIを画成する状態で、タレット４４に近接するチャンバ入口側１４０を有するものとして画成され得る。内腔１１６は、下流側端部１２８において第２直径ＤOを有する。この設計に留意して、入口直径ＤIは、内腔１１６が入口側１４０から下流側端部１２８へと直径が均一に増加する状態で、下流側直径または出口直径ＤOよりも小さい（例えば、いくつかの実施形態において、入口直径ＤIは、約０．６３５センチメートルであり、出口直径ＤOは、約０．９５２５センチメートルである）。いくつかの実施形態においては、内腔１１６は、垂下チューブ８０の長さの大部分に沿って直径が一様に増加し、他の実施形態においては、内腔直径の増加は、垂下チューブ８０の長さの全体に沿って定義される。いずれにせよ、フレア状の内腔直径は、内腔１１６を通っておよび内腔１１６に沿って供給される静脈血の速度を低下させる。次いで、この効果は、気泡の浮力が気泡を静脈血の自由表面へと押し上げるため、（以下に説明するように）静脈フィルタ１１２に衝突する泡の速度を低下させる。その結果、静脈血から空気がより効果的に取り除かれ、貯血槽２０は改善された空気処理能力を示す。
【００２１】
ボウル１１０は、垂下チューブ８０の下流側端部１２８から供給される静脈血を受容するよう配置され、フロア部表面１５０を形成する。いくつかの実施形態において、ボウル１１０は、ハウジング４０の一体的に形成された部品であり、あるいは、ハウジング４０およびボウル１１０は、別個に作製された後、組み合わされてもよい。フロア部表面１５０は、静脈チャンバ３０が、垂下チューブ８０の下流側端部１２８において入口を有し、静脈フィルタ１１２において出口を有するものとして見られ得るよう、静脈チャンバ３０内の静脈血を案内または導くための機能を果たす。
【００２２】
フロア部表面１５０の幾何学的形状は、垂下チューブ８０から静脈フィルタ１１２へと層流遷移が提供されるよう、選択される。例えば、（ボウル１１０を分離して示す）図４Ｂをさらに参照すると、フロア部表面１５０は、リム部分１５２、環状肩部分１５４、中間部分１５６、および突起１５８により画成される。リム部分１５２は、肩部分１５４から径方向外方および下方に延び、外側端部１６０で終端する。以下に説明するように、外側端部１６０は、静脈フィルタ１１２に直接近接して配置される。肩部分１５４は、（貯血槽２０の最終構成時に、図４Ａの直立方向に対して）フロア部表面１５０の最上側を画成し、垂下チューブ８０の下流側端部１２８を包囲する。この点に関して、肩部分１５４により画成される直径は、少なくとも垂下チューブ８０の下流領域１２２に対して、垂下チューブ８０の外側直径よりも大きい。中間部分１５６は、肩部分１５４から、径方向内方および下方に延びる。いくつかの構成において、肩部分１５４から中間部分１５６へのフロア部表面１５０の遷移は、緩やかな曲線である。中間部分１５６は、底面１６２が（図４Ａの直立方向に対して）フロア部表面１５０の最下側を効果的に画成する状態で、肩部分１５４の反対側に底面１６２を形成または画成する。
【００２３】
突起１５８は、中間部分１５６の底面１６２から、径方向内方および上方に延び、中心１６４で終端する。中心１６４は略湾曲表面で、底面１６２の上方に離間して配置される。以下にさらに詳述するように、突起１５８が湾曲および隆起した性質を有するため、特に中心１６４のために、中間部分１５６の中心１６４上に供給される液体は層流となるよう支援される。いくつかの構成において、突起１５８の高さ（すなわち、底面１６２から中心１６４への直線距離）は、０．０６５インチ〜０．１０５インチの範囲にあり、あるいは０．０７５インチ〜０．０９５インチの範囲内にあり、さらに他の構成においては、０．０８５インチである。さらに、突起１５８の外側直径は、約０．１インチ〜０．３インチであり得、あるいは０．２インチであり得る。他の寸法も認められ得る。
【００２４】
いくつかの構成において、ボウル１１０は、静脈フィルタ１１２の組み立てを容易にする機構をさらに組み込む。例えば、ボウル１１０は、静脈フィルタ１１２をリム１５２の外側端部１６０に直接近接して受容および保持する寸法を有する溝槽１７０を形成し得る。この点に関して、静脈フィルタ１１２は、スクリーン材料（例えば６４ミクロンスクリーン）等の、静脈血フィルタリングに従来用いられた形式に対応する形状を取り得る。いくつかの構成に関して、静脈フィルタ１１２は、環状リングとして形成され且つ第１側面１７２および第２側面１７４を有する、プリーツスクリーンである。これが静脈フィルタ１１２の容認される構成の１つに過ぎないことに留意して、（図４Ｂに最もよく示されるように）溝槽１７０は環状であり、基壁１７６および内側壁１７８により部分的に画成される。基壁１７６の幅は、プリーツ状の静脈フィルタ１１２の壁の厚みに対応する。内側壁１７８は、基壁１７６から径方向内方および上方に突起し、当接型の関係で第１側面１７２を捕捉するよう構成される。第２側面１７４は、以下に説明するように、心臓切開サブ組立体２６の一部により保持される。あるいは、静脈フィルタ１１２は、他の方法で、および／または追加的な部品を用いて、ボウル１１０に対して取り付けられ得る。
【００２５】
以下の説明で明らかにされる理由により、静脈フィルタ１１２は、第１側面１７２が第２側面１７４の内側直径よりも大きい内側直径を画成する状態で、テーパ形状を有し得る。溝槽１７０は、内側壁１７８が基壁１７６から角度をもって延びる状態で、このテーパ構成を収容するよう構成される。例えば、図４Ｂの長手方向断面図に対して、内側壁１７８に対向する側面は、基壁１７６から延びるときに５°〜１５°の範囲内の、例えば１０°の狭角Ａを画定する。あるいは、溝槽１７０は、他の多様な形状を取り得、および／または、ボウル１１０とは別に形成されてもよい。
【００２６】
静脈消泡器１１４は、静脈血の消泡に従来から用いられる材料（例えば、ポリウレタンフォーム）で作製され得る。いくつかの実施形態において、静脈消泡器１１４は、垂下チューブ８０の周囲に組み立てられ得る寸法を有し、したがって、先端１８０で終端する略管状構成を有し得る。
【００２７】
静脈サブ組立体２４を最終的に組み立てる際、静脈消泡器１１４は垂下チューブ８０の周囲に（例えば、エラストマーバンド１８２により）固定され、ボウル１１０は下流側端部１２８のほぼ下方に配置される。さらに、静脈フィルタ１１２は溝槽１７０内に固定される。ボウル１１０は、突起１５８および特に中心１６４が内腔１１６の中心軸と軸方向に整列するよう、垂下チューブ８０に対して配置される。中心１６４は、下流側端部１２８から鉛直方向下方に離間する（例えば、約０．１７５インチ〜０．１９５インチ、あるいは０．１８５インチ離間する）。逆に、肩部分１５４は、下流側端部１２８が肩部分１５４の鉛直方向下方にある状態で、垂下チューブ８０から径方向外方に離間するする。最後に、静脈消泡器１１４の先端１８０は、水平方向で下流側端部１２８ならびに肩部分１５４の上方にある（例えば、先端１８０と下流側端部１２８の間の離隔距離は、約０．６インチである）。
【００２８】
上記の構成のために、垂下チューブ８０への静脈血は、内腔１１６により、下流側端部１２８に導かれる。上述のように、内腔１１６がフレア状の性質を有するために、静脈血が下流側端部１２８へと流れる間に、静脈血の速度は低下する。静脈血は、次いで、下流側１２８からボウル１１０のフロア部表面１５０上に供給される。この点に関して、突起１５８は、中心１６４から径方向外側に中間部分１５６に沿って静脈血を分散させる。静脈血はボウル１１０内に蓄積し、しだいに肩部分１５４のレベルまで立ち上がる。下流側端部１２８が肩部分１５４の「下方」に存在するため、下流側端部１２８は、蓄積された静脈血の容積内にあり、たとえ垂下チューブ８０への静脈血が停止したとしても、内腔１１６内の呼び水が失われることはない。いずれにせよ、フロア部表面１５０は、静脈血を、中間部分１５８から肩部分１５４へ、および肩部分１５４からリム部分１５２へと、導く。リム部分１５２は、次いで、静脈血を、静脈血が主要チャンバ２８に入るに先立ち適切な濾過が実施される静脈フィルタ１１２に導く。
【００２９】
本開示に係る垂下チューブ８０およびボウル１１０の構成により、小児科心臓手術灌流回路において一般に経験される低流量において、望ましい層流が達成および維持され得ることが、驚くべきことに見出されている。例えば、図５は、本開示に係る、垂下チューブＴからボウルＢへの静脈血Ｆに関する計算流体力学（ＣＦＤ：ｃｏｍｐｕｔａｔｉｏｎａｌ  ｆｌｕｉｄ  ｄｙｎａｍｉｃ）解析のスクリーンショットを示す。参考として、図５に示すスクリーンショット表現は、対応する貯血槽の直立方向に対応させるために９０°回転され、さらに血流の半分のみが反映されたものである（図示する血流の「右半分」に至る血流は同等であることが理解される）。垂下チューブＴは、下流側端部ＥがボウルＢの突起の鉛直方向上方に配置される状態で、フレア状内径の内腔を有するよう作製され、次いで、ボウルＢは、上述の幾何学的形状および表面特徴を有した（例えば、突起の高さが０．０８５インチおよび直径が０．２０インチであり、下流側端部と突起中心との間隔が０．１８５インチ）。約１．８リットル／分の流量において、図５は、流れＦが、ボウルＢの全体に沿って静脈フィルタ（一般にＶＦで示される）に至るまで滑らかであったことを示す。この滑らかな流れは、実質的に層流状（すなわち、層流、または層流の１０％以内のレイノルズ数を有する流れ）であるとして特徴付けられる。参考として、本開示に含まれる他の構成は、以下で説明するように、１．８リットル／分を超すまたは１．８リットル／分未満の実質的な層流状の最大流量特性を実現する。
【００３０】
図４Ａに戻ると、静脈消泡器１１４の先端１８０は、上述の静脈血路からずれていて、静脈血が必ずしも静脈消泡器１１４と接するとは限らない。その代わり、静脈チャンバ３０内の静脈血に関連するあらゆる泡が（図４Ａの方向に対して）上方に立ち上がると、その時にのみ、静脈消泡器１１４と接触し、その結果、所望の消泡が実施される。しかし静脈血の非泡部分は、必ずしも静脈消泡器１１４と接触するとは限らない。容積が増加すると、静脈チャンバ３０内の静脈血レベルが静脈消泡器１１４にまで達することもある。場合によっては、静脈血の非泡部分の少なくとも１部分が静脈消泡器１１４に接触する一方で、非泡部分のうちの少なくとも何らかの部分（すなわち、静脈消泡器１１４の「下方」の部分）は接触しない。
【００３１】
心臓切開サブ組立体２６は、いくつかの実施形態において、静脈サブ組立体２４に対して積層関係で作製される。例えば、いくつかの実施形態において、心臓切開サブ組立体２６は、フレーム２００、皿部２０２、心臓切開フィルタ２０４（図４Ａにおいては隠れているが、一般的に参照番号２０４で示される）、および心臓切開消泡器２０６を備える。一般に、フレーム２００は、心臓切開フィルタ２０４および心臓切開消泡器２０６を保持する。皿部２０２は、心臓切開液流を心臓切開入口ポート（単数または複数）３６からフレーム２００に導き、フレーム２００は、次いで、心臓切開液流を案内表面２０８を介して心臓切開フィルタ２０４に導く。濾過された心臓切開液流は、次いで、以下で説明されるように、主要チャンバ２８に導かれる。さらに、心臓切開消泡器２０６は、主に、心臓切開チャンバ３４へと供給され且つ心臓切開チャンバ３４により保持される心臓切開液の泡部分と選択的に接触するよう、配置される。
【００３２】
フレーム２００は、多様な形状を取り得、いくつかの実施形態においては、内側ポスト２１０、基部２１２、および外側フレーム２１４を備える。内側ポスト２１０は、管状であり得、静脈消泡器１１４ならびに垂下チューブ８０の下流領域１２２を同軸上に受容する寸法を有し得る（静脈消泡器１１４が垂下チューブ８０の上方で組み立てられる実施形態に関して）。さらに、内側ポスト２１０は、皿部２０２から受けた心臓切開液流を導く機能を果たす、案内表面２０８の第１部分２１６を形成する。
【００３３】
基部２１２は、内側ポスト２１０から径方向外方および下方に延び、案内表面２０８の第２部分２１８を画成する。いくつかの構成において、基部２１２は、静脈フィルタ１１２の第２側面１７４を保持するよう構成され、対応する溝槽２２０を形成し得る。したがって、いくつかの実施形態において、基部２１２は、フレーム２００が静脈サブ組立体２４の１部分とみなされ得るよう、静脈チャンバ３０の１部分を追加的に形成する機能を果たす。しかしあるいは、フレーム２００は、静脈サブ組立体２４からは完全に分離した部品であり得る。
【００３４】
外側フレーム２１４は、内側ポスト２１０の反対側で基部２１２から延び、いくつかの実施形態においては、一連の離間した支柱２２２を備える。支柱２２２は、支柱２２２により集合的に画成された外径に沿って心臓切開フィルタ２０４を、および集合的に画成された内径に沿って心臓切開消泡器２０６を保持する。例えば、支柱２２２は、心臓切開消泡器２０６が受容されるネック部２２４（一般に参照番号２２４で示される）を形成し得る。加えて、外側フレーム２１４は案内表面２０８の出口部分２２６を画成する。出口部分２２６は、心臓切開フィルタ２０４の１部分として、基部２１２の延長として見ることができ、別個のリム部品等であり得る。いずれにせよ、出口部分２２６は、心臓切開フィルタ２０４から心臓切開液を外側に導く機能を果たす。
【００３５】
心臓切開フィルタ２０４は、心臓切開血の濾過に従来用いられた種類のものであり得、したがって、フェルト材料であり得る（例えば、３０ミクロンのデプスフィルタまたはメッシュフィルタ）。いくつかの構成において、心臓切開フィルタ２０４は、リングとして形成された、プリーツ状のデプスフィルタまたはメッシュフィルタであり、したがって、フレーム２００を包囲する。さらに、フレーム２００は、心臓切開フィルタ２０４の一体型部品である。いずれにせよ、心臓切開フィルタ２０４は、案内表面２０８の出口部分２２６に直接近接して配置される。
【００３６】
心臓切開消泡器２０６もまた、心臓切開液消泡に従来用いられてきた種類のもの（例えば、ポリウレタンフォーム）であり、案内表面２０８から離間するよう、フレーム２００に組み立てられる。例えば、第１部分２１６に対して、心臓切開消泡器２０６は案内表面２０８から径方向外方に離間するする。第２部分２１８および出口部分２２６に対して、心臓切開消泡器２０６は案内表面２０８の鉛直方向上方にある。この構成により、以下により詳細に説明するように、案内表面２０８に沿う心臓切開液の流れは、必ずしも心臓切開消泡器２０６と接触する必要はない。
【００３７】
皿部２０２は、漏斗状の形状を有し、中央アパーチャ２３０を形成し得る。図４Ａに示すように、皿部２０２は、皿部２０２の血流表面２３２が心臓切開入口ポート（単数または複数）３６に対して流体的に開放された状態で、ハウジング組立体２２（例えば、タレット４４）に取り付けられるよう構成される（図１Ａに最もよく示される）。中央アパーチャ２３０は、血流表面２３２が案内表面２０８の第１部分２１６の近傍で終端する状態で、内側ポスト２１０の周囲に同軸上に配置される。したがって、この構成により、皿部２０２は、心臓切開液流を、心臓切開入口ポート（単数または複数）３６から、血流表面２３２／アパーチャ２３０を介して、案内表面２０８に導く。
【００３８】
いくつかの実施形態において、心臓切開サブ組立体２６は、静脈サブ組立体２４に取り付けられ、静脈サブ組立体２４と組み合わされる。例えば、図６は、ハウジング４０内にまたはハウジング４０により形成されたボウル１１０と、ボウル１１０に取り付けられた静脈フィルタ１１２を含む、貯血槽２０の部分的な組み立てを示す。フレーム２００は、心臓切開フィルタ２０４がフレーム２００に組み立てられるか、またはフレーム２００により形成される状態で、静脈フィルタ１１０に取り付けられる。さらに詳細には、基部２１２は静脈フィルタ１１２の第２側面１７４に取り付けられる。図２および図４Ａを参照すると、静脈消泡器１１４は、垂下チューブ８０と内側ポスト２１０との間に挟まれる。皿部２０２は、例えば、皿部２０２をタレット４４に取り付けた後にタレット４４をハウジング４０に対して組み立てることにより、内側ポスト２１０の周囲に組み立てられる。最終的に構成するとき、内側ポスト２１０および心臓切開フィルタ２０４は組み合わされて、案内表面２０８が心臓切開チャンバ３４を通る流路を画成する状態で、心臓切開チャンバ３４を少なくとも部分的に画成する。
【００３９】
さらに詳細には、特に図４Ａを参照すると、心臓切開入口ポート（単数または複数）３６を介して貯血槽２０に流入する心臓切開液は、（血流表面２３２を介して）皿部２０２により内側ポスト２１０に導かれる。心臓切開液は、皿部２０２から中央アパーチャ２３０を介して案内表面２０８の第１部分２１６に移る。心臓切開液は、案内表面２０８の第１部分２１６に沿って第２部分２１８に、次いで、心臓切開フィルタ２０４に（重力により）流れる。心臓切開フィルタ２０４の「後方」で第２部分２１８に沿って蓄積される心臓切開液に関連するあらゆる泡は、上側に立ち上がり、心臓切開消泡器２０６に接触する。しかし、心臓切開液の非泡部分は、必ずしも心臓切開消泡器２０６と接触するとは限らない。容積が増加すると、心臓切開液の非泡部分のレベルは心臓切開消泡器２０６にまで達することもある。すると、非泡部分の少なくとも一部が心臓切開消泡器２０６に接触する一方で少なくとも一部（すなわち、心臓切開消泡器２０６の「下方」の非泡部分）は接触しない。いずれにせよ、心臓切開液は、次に、心臓切開フィルタ２０４により濾過される。
【００４０】
図４Ａの１つの構成に関して、心臓切開フィルタ２０４と接触した後、心臓切開液は、出口部分２２６から静脈フィルタ１１２上に導かれる。さらに詳細には、心臓切開フィルタ２０４は、濾過された心臓切開液が静脈フィルタ１１２上に直接流れる状態で、静脈フィルタ１１２の直接上方に配置される。次いで、静脈フィルタ１１２は、濾過された静脈血とさらに完全に混合するために、心臓切開液を主要チャンバ２９に導く。したがって、主要チャンバ２８内の血液容積に関わらず、心臓切開フィルタ２０４からの心臓切開血は、主要チャンバ２８へと飛び散ることまたは「滴下」することはなく、その代わり、静脈フィルタ１１２への穏やかな連続的な流れが生じた後、主要チャンバ２８に流れる。
【００４１】
貯血槽２０は、従来の設計と対比して、顕著な改善を提供し、穏やか且つ滑らかに、心臓切開血および静脈血の流入を導きおよび組み合わせる機能を果たす。静脈チャンバ３０へ至った後、主要チャンバ２８に至る静脈血は、主要チャンバ２８への飛沫が最小限であるかまたは全くない状態で、低流量においてさえも層流となり、滑らかに湾曲する表面に沿って連続的に導かれる。同様に、心臓切開液も主要チャンバ２８へと滑らかに流れ、飛沫型挙動の影響を受けるのは最小限である。その結果、貯血槽２０は、損傷を誘発する事象が生じる機会を最小限にする。その流れは滑らかであり、血液損傷を最小限にし且つ空気処理を改善するために、制御される。
【００４２】
貯血槽２０は、様々な灌流用途に大いに貢献し、いくつかの実施形態において、小さい患者（例えば、新生児、幼児、子供、小さい成人、その他）に対して大いに有益である。例えば、通常、小児科または小柄な成人の処置での低流量および低容積（例えば、主要チャンバ２８の最大容量が約１，２００ミリリットル）において、貯血槽２０を通る心臓切開血および静脈血は、実質的な層流状の流れとして実質的に保持される。さらに、貯血槽２０は、気泡の形成を最小限にしつつ、しかも、形成された気泡が容易に取り除かれるよう、構成される。本開示に係る貯血槽により支持される最大流量は、いくつかの実施形態において、小児患者に関して大いに有用である。いくつかの実施形態において、貯血槽２０は、あらゆる小児科のカテゴリー（新生児、幼児、まはた小人）に適用可能であり、約４．５５リットル／分である最大流量を提供する寸法を有する。他の実施形態において、貯血槽２０は、それぞれが異なる定格最大流量を有する、２つ以上の異なる寸法で臨床医に提供される。例えば、２．２リットル／分の定格最大流量を有する第１新生児／幼児用貯血槽、１．８リットル／分より大きく５．０リットル／分より小さい定格最大流量を有する第２小児／小成人用貯血槽、および５．０リットル／分より大きい（７．０リットル／分まで）定格最大流量を有する第３成人用貯血槽等である。参考として、本開示の構成により満足される、小児患者に対して期待される（年齢、体重、および身長に基づく）最大流量パラメータは、新生児（誕生〜生後１ヶ月）の０．９６リットル／分、幼児（１ヶ月〜２歳）の１．８３リットル／分、および小人／小児（２歳〜１２歳）の４．５５リットル／分を含む。
【００４３】
上に示したように、貯血槽２０は、灌流回路内における所望の接続を容易にするために有用である多種多様なポートを備え得る。参考として、本開示に係る心臓切開血静脈血貯血槽等の、異なる顧客によりおよび異なる処置により要求されるすべての接続部位および構成上の柔軟性を提供する小児科用途の小さいデバイスの設計は、きわめて困難である。既存の心臓切開血静脈血貯血槽装置は、通常、標準的なバーブ管接続部位、ルアーポート、および他のサンプリング用および監視用部位が、人間工学的に使いやすくない空間に押し込められている。所望の接続部位をすべて提供しつつ、しかもこれらの問題を解決するために、本開示に係るいくつかの実施形態においては、可撓性およびキンク耐性を有する延長および／または交換可能なコネクタ機構が用いられる。例えば、図７Ａは、本開示に係る代替的な貯血槽（図示せず）とともに有用であるカバー組立体３００の１部分を示す斜視図である。カバー組立体３００は、上述のハウジング４０（図１Ａ）へと組み立てられ得る。この点に留意して、カバー組立体３００は、カバー３０２、１つまたは複数の延長コネクタ３０４ａ〜３０４ｃ、および１つまたは複数のスナップ嵌合コネクタポート３０６ａ〜３０６ｅを備える。上述のように、延長コネクタ３０４ａ〜３０４ｃおよびスナップ嵌合コネクタポート３０６ａ〜３０６ｅは、カバー組立体３００を最終的に設置する際、カバー３０２により包囲される、チャンバ（単数または複数）（図示せず）に至る流体通路を確立するために、カバー３０２の厚さを通して対応する穴へと流体的に開放されている（例えば、図７Ａは、カバー３０２において存在し且つ第１スナップ嵌合コネクタポート３０６ａに関連する穴３０８ａを示す）。
【００４４】
延長コネクタ３０４ａ〜３０４ｃは、それぞれが延長体３１０およびポートコネクタ３１２を備える。延長体３１０は、キンク耐性を有する管（例えば、内側に配置されたまたは埋め込まれた螺旋巻きのバネを有する可撓管）である。いくつかの実施形態において、ポートコネクタ３１２は、ルアー型接続ピースを受容および保持するよう構成される。この構成により、延長コネクタ３０４ａ〜３０４ｃは、相互に対してきわめて近接した状態で設置され得（その結果、カバー３０２に沿う空間が節約され得る）、ユーザにより所望の方向に容易に統合され得る。その結果、貯血槽への接続（例えば、静脈流入、サンプリング、通気、温度監視、心臓切開流入、その他）がより容易となる。したがって、図面において完全に示されているわけではないが、延長コネクタ３０４ａ〜３０４ｃは、任意の方向に曲げることが可能であるため、所望の設定方向を提供することができる。任意の方向に曲げることが不可能であったならば、所望の設定方向が提供され得ることは、延長コネクタ３０４ａ〜３０４ｃ（例えば、静脈入口）を個別に回転させること、または（例えば、心臓切開環流ラインが提供される）対応するタレットを回転させることを要したであろう。
【００４５】
延長コネクタ３０４ａ〜３０４ｃは、後で組み立てるために、カバー３０２とは別に（例えば、アクセサリ・パッケージの一部として）ユーザに提供されてもよく、またはより永久的に固定されたものであってもよい。図７Ａにおいて３つの延長コネクタ３０４ａ〜３０４ｃが示されるが、他の構成においては、より多くの個数、またはより少ない個数も認められる。
【００４６】
スナップ嵌合コネクタポート３０６ａ〜３０６ｅは略同一であり得、それぞれが差込口本体３２０およびスナップ嵌合コネクタ機構３２２を備え得る。差込口本体３２０は、円筒形状であり得、以下に説明するように別個のコネクタを選択的に受容する寸法を有する。この点に関して、差込口本体３２０は、カバー３０２と一体的に形成され得（例えば、成形プロセスの一部として形成され、その結果、差込口本体３２０は、コーナー３０２の主要表面から外側に突起する隆起した支柱として画成される）、または、別個に形成された後、カバー３０２における対応する穴（例えば、穴３０８ａ）へと組み立てられるか、またはその穴内に組み立てられる。
【００４７】
差込口本体３２０がカバー３０２とは別に形成されたかどうかには関わらず、コネクタ機構３２２は、対応する差込口本体３２０内において、別個のコネクタの、コネクタが差込口本体３２０に対して回転可能な方法での、開放可能であり且つ液密性を有するスナップ嵌合接続を容易にするよう構成される。コネクタ機構３２２は、いくつかの実施形態において、対応する差込口本体３２０に組み込まれたバネ（図示せず）およびアクチュエータ（例えば、第３スナップ嵌合コネクタポート３０６ｃに対する、図７Ａにおいてタブ３２４として示される）等の、様々な部品を備え得る。
【００４８】
図７Ｂに示すように、カバー組立体３００は、人間工学的にアクセス可能であり且つ多数のエンドユーザのニーズを満足する、多種多様な接続装置の提供を可能にする。しかし、あるいは、従来のコネクタが、本開示に係る貯血槽に提供されてもよい。
【００４９】
スナップ嵌合コネクタポート３０６ａ〜３０６ｅは、適切なコネクタ装置３３０ａ〜３３０ｅ（例えば、バーブコネクタ、湾曲したまたは曲がった管）を流体的に受容する（例えば、定位置にスナップ嵌合する）ために利用することが可能である。エンドユーザがコネクタポート３０６ａ〜３０６ｅのそれぞれとの流体接続を必要としない用途については、キャップが、対応する使用されない差込口（単数または複数）３２０にスナップ嵌合されてもよい。その結果、空間の節約が可能となる。所望により提供されるスナップ嵌合コネクタポート３０６ａ〜３０６ｅは、コネクタ３３０ａ〜３３０ｅのそれぞれが、他に対して独立的に回転する能力を提供する（すなわち、コネクタ３３０ａは、対応するスナップ嵌合コネクタポート３０６ａの差込口本体３２０内で、他のコネクタ３３０ｂ〜３３０ｅから独立的に回転することができる）。この特徴は、管を貯血槽（図示せず）に、および貯血槽から管に接続する際に、最適な柔軟性を提供し、上述の、所望により提供される回転可能なタレットに取って代わることが可能である。さらに、コネクタ３３０ａ〜３３０ｅの望ましい回転は、対応する接続部位に対して、少なくとも何らかの応力開放を提供する。また、スナップ嵌合コネクタポート３０６ａ〜３０６ｅは、所望の血液処理システムと組み合わせて、異なる寸法の管／アダプタを使用することを支援する。参考として、幼児または他の小児科処置では、同一寸法の貯血槽が用いられるが、対応する管の寸法は、最大要求流量に対する最適最大容積の関数として、変化する。本開示に係る任意のスナップ嵌合コネクタポート３０６ａ〜３０６ｅについては、別個のアダプタは、実際に使用される管の寸法を低減するために、または設定するために、必ずしも必要とは限らない。かわって、適切な寸法を有するコネクタ３０６（図示せず。しかしコネクタ３３０ｂ〜３３０ｃに類似する）が所望のスナップ嵌合コネクタポート３０６ａ〜３０６ｅに（例えば、既存のコネクタ３３０ａ〜３３０ｅのうちの１つと置き換えられ）、およびそれに接続された管に、単に組み立てられてもよい。
【００５０】
いくつかの実施形態において、少なくともコネクタ機構３２２は、カバー３０２が直接提供されよりも、むしろ、別個の管に「予め接続され」てもよい（例えば、カスタム管パックの一部として）。いずれにせよ、コネクタ機構３２２はカバー３０２に対して一体的に成形されず、またはカバー３０２とともに一体的に形成されないため、ユーザにはより大きい柔軟性が提供される。例えば、カバー組立体３００は、別個の管が、管へと選択的に回転可能に組み立てるための対応するコネクタ機構３２２を坦持する状態で、差込口本体３２０（または同等の機構）を備え得る。関連する実施形態において、スナップ嵌合コネクタポート３０６ａ〜３０６ｅは、管に固定され、開放可能にカバー３０２に組み立てるためのコネクタとして機能する（例えば、コネクタポート３０６ａ〜３０６ｅは、図７Ｂに示すコネクタ３３０ａ〜３３０ｅのうちの１つとして機能を果たし、選択的にカバー３０２の対応する穴（例えば、図７Ａの穴３０８ａ）に組み立てられる）。
【００５１】
本開示は、好適な実施形態に関して説明されてきたが、当業者は、本開示の思想および範囲から逸脱することなく、形状および詳細において変化が可能であることを理解する。例えば、スナップ嵌合コネクタおよび延長コネクタが、心臓切開血静脈血貯血槽に関して有用であるとして説明されてきたが、貯血槽に加えて、他の体外装置も等しく恩恵を受ける。したがって、例えば、コネクタは、人工肺、熱交換器、ポンプ、その他とともに用いることができる。さらに一般に、本開示に係るいくつかの態様は、灌流システムにおける１つまたは複数の他の部品に対する流体的接続を要求し、且つカバーと、着脱可能にカバーに組み立てられた少なくとも１つの回転可能なスナップ嵌合コネクタとを備える流体コネクタ組立体を有する、灌流デバイスに関する。灌流装置は、ポンプ、フィルター、貯血槽、人工肺、熱交換器等の、灌流手順の実施に有用な様々な他の部品を備え得る。また、１つまたは複数の、可撓性およびキンク耐性を有する延長コネクタが、流体コネクタ組立体に提供されてもよい。
【図１Ａ】
0005687211.tif 000002
【図１Ｂ】
0005687211.tif 000003
【図２】
0005687211.tif 000004
【図３Ａ】
0005687211.tif 000005
【図３Ｂ】
0005687211.tif 000006
【図４Ａ】
0005687211.tif 000007
【図４Ｂ】
0005687211.tif 000008
【図５】
0005687211.tif 000009
【図６】
0005687211.tif 000010
【図７Ａ】
0005687211.tif 000011
【図７Ｂ】
0005687211.tif 000012